(57)【要約】【課題】画像表示／記録装置が、自身と異なるローカルネットワークに属するネットワークカメラとネットワーク接続可能な技術を提供することを目的とする。【解決手段】監視システムは、第１ローカルネットワーク１００に属するネットワークカメラ１と、第１ローカルネットワーク１００に属し、ネットワークカメラ情報５０１を収集するネットワークカメラ管理サーバ１２とを備える。当該監視システムは、ネットワークカメラ管理サーバ１２から、ネットワークカメラ情報５０１をインターネット３００を介して取得し記憶するネットワーク監視情報収集サーバ３０と、第２ローカルネットワーク２００に属する画像表示／記録装置２１，２２とを備える。画像表示／記録装置２１，２２は、ネットワーク監視情報収集サーバ３０を介して取得した第１ネットワークカメラ情報５０１に基づいて、自身がネットワークカメラ１とインターネット接続するための設定を行う。【選択図】図１
2012209810.tif 000002
【特許請求の範囲】
【請求項１】
映像を監視するための監視システムであって、
第１ローカルネットワークに属し、前記映像を撮影するネットワークカメラと、
前記第１ローカルネットワークに属し、外部の機器が前記ネットワークカメラにインターネット接続するための第１ネットワーク情報を収集するネットワークカメラ管理サーバと、
前記ネットワークカメラ管理サーバとインターネット接続可能であり、前記ネットワークカメラ管理サーバで収集された前記第１ネットワーク情報をインターネットを介して取得し記憶するネットワークサーバと、
第２ローカルネットワークに属し、前記ネットワークサーバとインターネット接続可能であり、前記ネットワークカメラで撮影された前記映像を表示及び／または記録する画像表示／記録装置と
を備え、
前記画像表示／記録装置は、
前記ネットワークサーバに記憶された前記第１ネットワーク情報をインターネットを介して取得し、当該第１ネットワーク情報に基づいて自身が前記ネットワークカメラとインターネット接続するための設定を行う、監視システム。
【請求項２】
請求項１に記載の監視システムであって、
前記ネットワークカメラ管理サーバは、
外部の機器が前記画像表示／記録装置にインターネット接続するための第２ネットワーク情報を記憶する記憶手段を備え、前記画像表示／記録装置とインターネット接続している前記ネットワークカメラに追加／変更があった場合に、前記第２ネットワーク情報に基づいて前記画像表示／記録装置とインターネット接続して、当該追加／変更の旨を前記画像表示／記録装置に通知し、
前記画像表示／記録装置は、
前記通知に従って、自身とインターネット接続している前記ネットワークカメラに対する追加／変更を行う、監視システム。
【請求項３】
請求項１に記載の監視システムであって、
前記第１，第２ローカルネットワークは複数対設けられ、
前記ネットワークサーバは、
前記第１ネットワーク情報を前記複数対の各々ごとに管理する、監視システム。
【発明の詳細な説明】
【技術分野】
【０００１】
本発明は、ネットワークカメラで撮影された映像を監視するための監視システムに関するものである。
【背景技術】
【０００２】
従来、コンビニエンスストアやスーパーマーケットにおいて商品の盗難やいたずらを防ぐために監視システムを用いた監視が行われている。このような監視システムには、店内入口や商品棚に設置された複数の監視カメラと、当該監視カメラが撮影した映像を表示する画像表示装置と、当該映像を録画する画像記録装置とを組合せた監視システムがある。
【０００３】
この監視システムにおいては、近年、ネットワーク環境の普及により、撮影した映像をネットワーク上に配信する監視カメラであるネットワークカメラと、当該配信された映像を受信し表示する画像表示装置と、当該配信された映像を受信し録画する画像記録装置とを組合せたものが提案されている。しかし、ネットワークカメラ、画像表示装置及び画像記録装置などを動作させるためには、監視システムの導入時においてネットワーク接続の設定をそれぞれ正しく行う必要があり、しかもその設定作業は煩雑であるといった問題があった。
【０００４】
特許文献１には、この問題を解決するための方法の一例が開示されている。具体的には、ネットワークカメラの管理を行うネットワークカメラ管理サーバをさらに備え、ネットワークカメラが、ネットワークカメラ管理サーバからＩＰアドレス及びパラメータ設定ファイルに記載されたパラメータをネットワーク接続時に取得して設定することにより、ネットワークカメラの設定を自動的に行う方法が開示されている。
【先行技術文献】
【特許文献】
【０００５】
【特許文献１】特開２００６−８０５９６号公報
【発明の概要】
【発明が解決しようとする課題】
【０００６】
さて、以上のような監視システムにおいて、画像表示装置がネットワークカメラの映像を表示したり、画像記録装置がその映像を記録したりするためには、これら装置が、ネットワークカメラとネットワーク接続することが必要である。そして、画像表示装置及び画像記録装置が、ネットワークカメラとネットワーク接続を行うためには、ネットワークカメラのＩＰアドレス等のネットワーク情報を取得し、当該ネットワーク情報を自身に設定しなければならない。
【０００７】
しかしながら、特許文献１の方法では、ネットワークカメラ監視サーバを備えることでネットワークカメラとのネットワーク接続の設定は簡易化されているが、画像表示装置及び画像記録装置が設定は自動的に行われるものではない。したがって、画像表示装置及び画像記録装置において、ネットワークカメラと接続するための煩雑な設定作業が残るため、ユーザは、その設定作業を行わなければならず、手間がかかるという問題があった。
【０００８】
また、仮にネットワークカメラ、ネットワーク管理サーバ、画像表示装置及び画像記録装置が同じローカルネットワーク内にあるのであれば、画像表示装置及び画像記録装置がネットワーク管理サーバからネットワークカメラのネットワーク情報を取得し、設定をすれば自動的にネットワーク接続を行うことができると考えられる。
【０００９】
しかしながら、ブロードバンド・インターネット（以下「インターネット」と呼ぶ）によって接続された異なる複数のローカルネットワークでの監視、つまり、多地点（グローバル）の監視を行うことが多くなってきている。特に、コンビニエンスストアやスーパーマーケットなど小規模な監視システムにおいてネットワークを利用する場合には、比較的に安価なブロードバンド・ルータを使って、ＡＤＳＬやＦＴＴＨなどを利用したインターネット接続を行うことが多いと考えられる。このようなブロードバンド・ルータを用いたインターネット接続では、ネットワークセキュリティのため、ローカルネットワーク内の装置からインターネット側へのネットワーク接続は許可するが、インターネット側からローカルネットワーク内の装置への接続は拒否する。したがって、画像表示装置及び画像記録装置が、インターネット接続を利用して、自身と異なるローカルネットワークに属するネットワーク管理サーバから、ネットワークカメラとインターネット接続するためのネットワーク情報を取得し、その映像を表示／記録することを実現することは困難である。
【００１０】
そこで、本発明は、上記のような問題点を鑑みてなされたものであり、画像表示／記録装置が、自身と異なるローカルネットワークに属するネットワークカメラと自動的にネットワーク接続することを可能にする技術を提供することを目的とする。
【課題を解決するための手段】
【００１１】
本発明に係る監視システムは、映像を監視するための監視システムであって、第１ローカルネットワークに属し、前記映像を撮影するネットワークカメラと、前記第１ローカルネットワークに属し、外部の機器が前記ネットワークカメラにインターネット接続するための第１ネットワーク情報を収集するネットワークカメラ管理サーバとを備える。そして、当該監視システムは、前記ネットワークカメラ管理サーバとインターネット接続可能であり、前記ネットワークカメラ管理サーバで収集された前記第１ネットワーク情報をインターネットを介して取得し記憶するネットワークサーバと、第２ローカルネットワークに属し、前記ネットワークサーバとインターネット接続可能であり、前記ネットワークカメラで撮影された前記映像を表示及び／または記録する画像表示／記録装置とを備える。前記画像表示／記録装置は、前記ネットワークサーバに記憶された前記第１ネットワーク情報をインターネットを介して取得し、当該第１ネットワーク情報に基づいて自身が前記ネットワークカメラとインターネット接続するための設定を行う。
【発明の効果】
【００１２】
本発明によれば、第１ネットワーク情報を記録可能なネットワークサーバが、第１ローカルネットワークに属するネットワークカメラ管理サーバと、第２ローカルネットワークに属する画像表示／記録装置とインターネット接続されている。したがって、画像表示／記録装置は、自身と異なるローカルネットワークに属するネットワークカメラ管理サーバからネットワークカメラの第１ネットワーク情報を自動的に取得することができる。よって、画像表示／記録装置は、自身と異なるローカルネットワークに属するネットワークカメラと自動的にネットワーク接続することができる。その結果、ユーザは、ＰＣ等を用いて当該設定を行わなくて済み、画像表示／記録装置における設定作業が軽減される。
【図面の簡単な説明】
【００１３】
【図１】実施の形態１に係る監視システムの構成を示すブロック図である。
【図２】実施の形態１に係る監視システムの動作を示すフローチャートである。
【図３】ネットワークカメラ情報要素を示す図である。
【図４】ネットワークカメラ情報を示す図である。
【図５】実施の形態１に係る監視システムの動作を示すフローチャートである。
【図６】ネットワーク表示情報を示す図である。
【図７】ネットワーク記録情報を示す図である。
【図８】実施の形態２に係る監視システムの構成を示すブロック図である。
【図９】実施の形態２に係る監視システムの動作を示すフローチャートである。
【図１０】ネットワークカメラ情報要素を示す図である。
【図１１】実施の形態３に係る監視システムの構成を示すブロック図である。
【図１２】ネットワークカメラ情報記憶領域を示す図である。
【発明を実施するための形態】
【００１４】
＜実施の形態１＞
図１は、本発明の実施の形態１に係る監視システムの構成を示すブロック図である。図１に示されるように、この監視システムは、ネットワークカメラ１ａ〜１ｃと、ブロードバンド・ルータ１０と、ネットワークカメラ管理サーバ１２と、ハブ１５と、ブロードバンド・ルータ２０と、画像表示装置２１と、画像記録装置２２と、ハブ２５と、ネットワーク監視情報収集サーバ３０（ネットワークサーバ）とを備えている。
【００１５】
ブロードバンド・ルータ１０、ネットワークカメラ１ａ〜１ｃ、ネットワークカメラ管理サーバ１２及びハブ１５は、第１ローカルネットワーク１００に属しており、ブロードバンド・ルータ２０、画像表示装置２１、画像記録装置２２及びハブ２５は、第２ローカルネットワーク２００に属している。
【００１６】
まず、第１ローカルネットワーク１００に属する構成要素について説明する。
【００１７】
ブロードバンド・ルータ１０は、第１ローカルネットワーク１００内において、ハブ１５を介してネットワークカメラ１ａ〜１ｃ及びネットワークカメラ管理サーバ１２とネットワーク接続されている。また、ブロードバンド・ルータ１０は、第１ローカルネットワーク１００外において、インターネット３００を介して、ブロードバンド・ルータ２０及びネットワーク監視情報収集サーバ３０とネットワーク接続されている。なお、以下の説明において、ある装置がインターネット３００を介して別の装置とネットワーク接続している場合に、このネットワーク接続を「インターネット接続」と呼ぶこともある。このブロードバンド・ルータ１０は、ＡＤＳＬやＦＴＴＨなどを利用することにより、ネットワークカメラ１ａ〜１ｃ及びネットワークカメラ管理サーバ１２が、第１ローカルネットワーク１００外部の機器とインターネット接続することを可能にしている。
【００１８】
ネットワークカメラ１ａ〜１ｃは、各監視場所に設置され、周囲の映像を撮影する監視カメラとしての機能を有している。また、ネットワークカメラ１ａ〜１ｃは、撮影した映像を、自身とネットワーク接続されている装置に映像を配信するネットワーク機器としての機能も有している。なお、以下の説明では、各ネットワークカメラ１ａ〜１ｃを、「ネットワークカメラ１」と記すこともある。
【００１９】
ネットワークカメラ管理サーバ１２は、第１ローカルネットワーク１００外部の機器がネットワークカメラ１ａ〜１ｃにインターネット接続するためのネットワークカメラ情報５０１（第１ネットワーク情報）を収集し、記憶する。このネットワークカメラ管理サーバ２は、ネットワークカメラ情報５０１を記憶する記憶領域を備えており、このネットワークカメラ情報５０１には、ネットワークカメラ１ａ〜１ｃがネットワーク接続時に配信するＩＰアドレスなどが含まれている。
【００２０】
ハブ１５は、ネットワークカメラ１ａ〜１ｃ、ネットワークカメラ管理サーバ１２及びブロードバンド・ルータ１０を相互にネットワーク接続する。ここでは、ハブ１５の各ポートに、ネットワークカメラ１ａ〜１ｃ及びネットワークカメラ管理サーバ１２がそれぞれネットワーク接続され、ハブ１５のネットワーク接続端に、ブロードバンド・ルータ１０が接続されている。ネットワークカメラ１ａ〜１ｃ及びネットワークカメラ管理サーバ１２は、ハブ１５及びブロードバンド・ルータ１０を介して、第１ローカルネットワーク１００外部の機器とインターネット接続することが可能となっている。
【００２１】
上述のブロードバンド・ルータ１０は、第１ローカルネットワーク１００上の装置に、第１ローカルネットワーク１００上のＩＰアドレスを動的に割り当てるプロトコルであるＤＨＣＰ（Dynamic Host Configuration Protocol）のサーバ機能を備えている。一方、ネットワークカメラ１ａ〜１ｃ及びネットワークカメラ管理サーバ２は、それぞれＤＨＣＰクライアント機能を備えている。
【００２２】
また、ブロードバンド・ルータ１０は、プライベートＩＰアドレス及びグローバルＩＰアドレスの変換に加えてポート番号も変換できるＮＡＰＴ（Network Address Port Translation）機能も備えている。また、ブロードバンド・ルータ１０は、プライベートＩＰアドレス、グローバルＩＰアドレス及びポート番号が互いに対応付けられた、外部（ここでは、ネットワークカメラ管理サーバ１２）より書き換え可能なＮＡＰＴ情報テーブルを有している。
【００２３】
次に、第２ローカルネットワーク２００に属する構成要素について説明する。
【００２４】
ブロードバンド・ルータ２０は、第２ローカルネットワーク２００内において、ハブ２５を介して画像表示装置２１及び画像記録装置２２とネットワーク接続されている。また、ブロードバンド・ルータ２０は、第２ローカルネットワーク２００外において、ブロードバンド・ルータ１０及びネットワーク監視情報収集サーバ３０とインターネット接続されている。このブロードバンド・ルータ２０は、ＡＤＳＬやＦＴＴＨなどを利用することにより、画像表示装置２１及び画像記録装置２２が、第２ローカルネットワーク２００外部の機器とインターネット接続することを可能にしている。
【００２５】
画像表示装置２１及び画像記録装置２２は、ネットワークカメラ１で撮影された映像を表示及び／または記録する画像表示／記録装置を構成している。
【００２６】
画像表示装置２１は、ネットワークカメラ１とインターネット接続している場合に、ネットワークカメラ１から配信された映像を取得すると、それを表示する。この画像表示装置２１としては、例えばコンピュータ等の画像表示装置が適用される。
【００２７】
画像記録装置２２は、ネットワークカメラ１とインターネット接続している場合に、ネットワークカメラ１から配信された映像を取得すると、それを記録する。この画像記録装置２２としては、例えばＨＤＤなどの記録媒体が適用される。
【００２８】
ハブ２５は、画像表示装置２１、画像記録装置２２及びブロードバンド・ルータ２０を相互にネットワーク接続する。ここでは、ハブ２５の各ポートに、画像表示装置２１及び画像記録装置２２がそれぞれネットワーク接続され、ハブ２５のネットワーク接続端に、ブロードバンド・ルータ２０が接続されている。画像表示装置２１及び画像記録装置２２は、ハブ２５及びブロードバンド・ルータ２０を介して、第２ローカルネットワーク２００外部の機器とインターネット接続することが可能となっている。
【００２９】
上述のブロードバンド・ルータ２０は、第２ローカルネットワーク２００上の装置に、第２ローカルネットワーク２００上のＩＰアドレスを動的に割り当てるＤＨＣＰサーバ機能を備えている。一方、画像表示装置２１及び画像記録装置２２は、それぞれＤＨＣＰクライアント機能を備えている。
【００３０】
また、ブロードバンド・ルータ２０は、ＮＡＰＴ機能も備える。また、ブロードバンド・ルータ２０は、プライベートＩＰアドレス、グローバルＩＰアドレス及びポート番号が互いに対応付けられた、外部より書き換え可能なＮＡＰＴ情報テーブルを有している。
【００３１】
次にネットワーク監視情報収集サーバ３０について説明する。
【００３２】
ネットワーク監視情報収集サーバ３０には、ある機器がネットワーク監視情報収集サーバ３０とインターネット接続を行うためのグローバルＩＰアドレスが付与されている。本実施の形態では、ネットワークカメラ管理サーバ１２は、ネットワーク監視情報収集サーバ３０のグローバルＩＰアドレスを記憶しており、ブロードバンド・ルータ１０等を介してネットワーク監視情報収集サーバ３０とインターネット接続可能となっている。つまり、ネットワーク監視情報収集サーバ３０は、ネットワークカメラ管理サーバ１２とインターネット接続可能となっている。また、本実施の形態では、画像表示装置２１及び画像記録装置２２のそれぞれは、ネットワーク監視情報収集サーバ３０のグローバルＩＰアドレスを記憶しており、ブロードバンド・ルータ２０等を介してネットワーク監視情報収集サーバ３０とインターネット接続可能となっている。
【００３３】
ネットワーク監視情報収集サーバ３０は、上述のネットワークカメラ情報５０１と、ネットワーク表示情報５１０（第２ネットワーク情報）と、ネットワーク記録情報５２０（第２ネットワーク情報）とを記憶することが可能となっている。ここで、ネットワーク表示情報５１０は、第２ローカルネットワーク２００外部の機器が画像表示装置２１にインターネット接続するためのネットワーク情報であり、ネットワーク記録情報５２０は、第２ローカルネットワーク２００外部の機器が画像記録装置２２にインターネット接続するためのネットワーク情報である。なお、以下、ネットワーク表示情報５１０及びネットワーク記録情報５２０を、以下略して、「ネットワーク情報５１０，５２０」と記すこともある。
【００３４】
図２は、本実施の形態に係る監視システムが、第１ローカルネットワーク１００側のインターネット接続の設定を行う動作を示すフローチャートである。以下、この図２を用いて、当該監視システムの当該動作について説明する。
【００３５】
ステップＳ１にて、ネットワークカメラ１ａ〜１ｃは、ネットワーク接続時に、ローカルＩＰアドレス等を自身に設定し、上述のネットワークカメラ情報５０１の要素となるネットワークカメラ情報要素を配信する。また、同ステップＳ１にて、ネットワークカメラ管理サーバ１２は、ネットワーク接続時に、ローカルＩＰアドレス等を自身に設定する。
【００３６】
具体的には、まず、ネットワークカメラ１ａ〜１ｃのそれぞれは、ネットワーク接続時に、ＤＨＣＰサーバ機能を有するブロードバンド・ルータ１０から、ローカルＩＰアドレス及びローカルポート番号を取得し、それらを自身に設定する。同様に、ネットワークカメラ管理サーバ１２は、ネットワーク接続時に、ＤＨＣＰサーバ機能を有するブロードバンド・ルータ１０から、ローカルＩＰアドレス及びローカルポート番号を取得し、それらを自身に設定する。なお、ここでのローカルＩＰアドレスは、第１ローカルネットワーク１００上のＩＰアドレスであり、ローカルポート番号は、第１ローカルネットワーク１００上のポート番号である。
【００３７】
ネットワークカメラ１ａ〜１ｃは、ＩＰアドレス等を設定した（割り当てた）後、同ステップＳ１にて、上述のネットワークカメラ情報要素を第１ローカルネットワーク１００上に配信する。図３には、当該ネットワークカメラ情報要素の一例が示されている。この図３に示されるネットワークカメラ情報要素５００は、ネットワークカメラ１ａ〜１ｃのそれぞれの、ネットワークカメラメーカーＭ、ネットワークカメラ型式Ｔ、ローカルＩＰアドレスＩＰＬＣ及びローカルポート番号ＰＴＬＣから構成されている。
【００３８】
ネットワークカメラ１ａ〜１ｃは、ネットワークカメラ情報要素５００を配信する際に、ネットワークカメラ情報要素５００のローカルＩＰアドレスＩＰＬＣ及びローカルポート番号ＰＴＬＣに、自身が設定したローカルＩＰアドレス及びローカルポート番号を格納し、当該格納されたネットワークカメラ情報要素５００を配信する。
【００３９】
ステップＳ２にて、ネットワークカメラ管理サーバ１２は、ネットワークカメラ情報要素５００などの情報をネットワークカメラ１ａ〜１ｃと交換することにより、ネットワークカメラ情報５０１を収集し、それをネットワーク監視情報収集サーバ３０へ送信する。
【００４０】
具体的には、まず、ネットワークカメラ管理サーバ１２は、それぞれのネットワークカメラ１ａ〜１ｃとの情報交換を行う。なお、ネットワークカメラ１ａ〜１ｃと、ネットワークカメラ管理サーバ１２との間の情報交換については、ＵＰｎＰ（Universal Plug and Play）フォーラムが定めたネットワークプロトコル仕様を利用することもできる。
【００４１】
この情報交換を行うことにより、ネットワークカメラ管理サーバ１２は、ネットワークカメラ１ａ〜１ｃが配信したネットワークカメラ情報要素５００を受信する。そして、ネットワークカメラ管理サーバ１２は、受信したネットワークカメラ情報要素５００等を収集（記憶）することにより、ネットワークカメラ情報５０１を収集する。なお、本実施の形態では、ネットワークカメラ管理サーバ１２は、ネットワークカメラ情報５０１を記憶する上述の記憶領域を備えており、収集したネットワークカメラ情報５０１を当該記憶領域に記憶する。
【００４２】
図４には、当該ネットワークカメラ情報５０１の一例が示されている。この図４に示されるネットワークカメラ情報５０１は、図３に示したネットワークカメラ情報要素５００に加えて、ネットワークカメラ１ａ〜１ｃのそれぞれについて、ネットワークカメラ１ａ〜１ｃを識別するための固有名ＮＣと、グローバルＩＰアドレスＩＰＧＣ及びグローバルポート番号ＰＴＧＣとを含んでおり、また、ネットワークカメラ管理サーバ１２について、固有名ＮＳ、ローカルＩＰアドレスＩＰＬＳ、ローカルポート番号ＰＴＬＳ、グローバルＩＰアドレスＩＰＧＳ及びグローバルポート番号ＰＴＧＳも含んでいる。なお、ここでのグローバルＩＰアドレスは、インターネット３００上のＩＰアドレスであり、グローバル番号は、インターネット３００上のポート番号である。
【００４３】
ネットワークカメラ管理サーバ１２は、ネットワークカメラ情報５０１の収集として、ネットワークカメラ１ａ〜１ｃからそれぞれ取得したネットワークカメラ情報要素５００に含まれるネットワークカメラメーカーＭ、ネットワークカメラ型式Ｔ、ローカルＩＰアドレスＩＰＬＣ及びローカルポート番号ＰＴＬＣを、ネットワークカメラ情報５０１の対応部分に格納・記憶する。また、ネットワークカメラ管理サーバ１２は、当該ローカルＩＰアドレスＩＰＬＣ及び当該ローカルポート番号ＰＴＬＣを、ネットワークカメラ情報５０１のグローバルＩＰアドレスＩＰＧＣ及びグローバルポート番号ＰＴＧＣにそれぞれ格納・記憶するとともに、カメラ１ａ、カメラ１ｂ、カメラ１ｃ等の文字列を固有名ＮＣに格納・記憶する。
【００４４】
また、ネットワークカメラ管理サーバ１２は、ネットワークカメラ情報５０１の収集として、自身（ネットワークカメラ管理サーバ１２）のネットワーク情報に含まれるローカルＩＰアドレス及びローカルポート番号を、ネットワークカメラ情報５０１のローカルＩＰアドレスＩＰＬＳ及びローカルポート番号ＰＴＬＳに格納・記憶する。また、ネットワークカメラ管理サーバ１２は、自身のローカルＩＰアドレスＩＰＬＳ及びローカルポート番号ＰＴＬＳを、ネットワークカメラ情報５０１のグローバルＩＰアドレスＩＰＧＳ及びグローバルポート番号ＰＴＧＳにそれぞれ格納・記憶するとともに、カメラ管理サーバ等の文字列を固有名ＮＳに格納・記憶する。
【００４５】
上述したように、ネットワークカメラ管理サーバ１２は、ネットワーク監視情報収集サーバ３０のグローバルＩＰアドレスを記憶しており、ネットワーク監視情報収集サーバ３０とインターネット接続可能となっている。本実施の形態では、同ステップＳ２にて、ネットワークカメラ管理サーバ１２は、ネットワーク監視情報収集サーバ３０とインターネット接続し、上述の収集したネットワークカメラ情報５０１を、ハブ１５、ブロードバンド・ルータ１０及びインターネット３００を介してネットワーク監視情報収集サーバ３０へ送信する。
【００４６】
ステップＳ３にて、ネットワーク監視情報収集サーバ３０は、ネットワークカメラ管理サーバ１２で収集されたネットワークカメラ情報５０１を、インターネット３００を介して受信（取得）し、自身の記憶領域に記憶する。
【００４７】
なお、ネットワーク監視情報収集サーバ３０は、当該記憶領域だけでなく、フラグＦＣも備えている。このフラグＦＣは、ネットワークカメラ管理サーバ１２からネットワークカメラ情報５０１を受信する前には「０」に設定されている。ネットワーク監視情報収集サーバ３０は、ネットワークカメラ管理サーバ１２からネットワークカメラ情報５０１を受信し、当該ネットワークカメラ情報５０１を上述の記憶領域に記憶したときに、フラグＦＣを「１」に変更する。
【００４８】
また、ネットワーク監視情報収集サーバ３０は、送信元のブロードバンド・ルータ１０のグローバルＩＰアドレス１０ＩＰＧを取得し、記憶しているものとする。一般にネットワーク接続の情報送信は、送信先のＩＰアドレス（ここではネットワーク監視情報収集サーバ３０）と送信元のＩＰアドレス（ここではブロードバンド・ルータ１０）とを、送信すべき情報の先頭に付加するため、ネットワーク監視情報収集サーバ３０が送信元のブロードバンド・ルータ１０のグローバルＩＰアドレス１０ＩＰＧを取得し、記憶することは容易である。
【００４９】
さて、このステップＳ３においては、まず、ネットワーク監視情報収集サーバ３０は、ネットワークカメラ管理サーバ１２からのネットワークカメラ情報５０１を自身に記憶すると、フラグＦＣを「１」に変更する。そして、ネットワーク監視情報収集サーバ３０は、当該ネットワークカメラ情報５０１に含まれる、ネットワークカメラ１ａ〜１ｃ及びネットワークカメラ管理サーバ１２のグローバルＩＰアドレスＩＰＧＣ，ＩＰＧＳのそれぞれを、ブロードバンド・ルータ１０のグローバルＩＰアドレス１０ＩＰＧに変更する。そして、ネットワーク監視情報収集サーバ３０は、自身に記憶したネットワークカメラ情報５０１に含まれる、ネットワークカメラ１ａ〜１ｃ及びネットワークカメラ管理サーバ１２のグローバルポート番号ＰＴＧＣ，ＰＴＣＳを、互いに重複しない固有の番号に変更する。
【００５０】
それから、同ステップＳ３にて、ネットワーク監視情報収集サーバ３０は、変更後のネットワークカメラ情報５０１を自身の記憶領域に記憶する。なお、ネットワーク監視情報収集サーバ３０は、グローバルＩＰアドレスＩＰＧＣ，ＩＰＧＳ及びグローバルポート番号ＰＴＧＣ，ＰＴＧＳの変更が完了したときにフラグＦＣを「１」から「２」に変更する。
【００５１】
ステップＳ４にて、ネットワークカメラ管理サーバ１２は、ネットワーク監視情報収集サーバ３０からネットワークカメラ情報５０１を受信（取得）し、それを自身に記憶する。
【００５２】
具体的には、ネットワークカメラ管理サーバ１２は、ネットワーク監視情報収集サーバ３０へネットワークカメラ情報５０１を送信した後（ステップＳ２の後）、ネットワーク監視情報収集サーバ３０に問合せを行う。ネットワークカメラ管理サーバ１２は、フラグＦＣが「２」に変更されるまで、この問合わせを繰り返し行う。ネットワークカメラ管理サーバ１２は、フラグＦＣが「２」に変更（設定）されたときに、ネットワーク監視情報収集サーバ３０から自身へのネットワークカメラ情報５０１の送信を、ネットワーク監視情報収集サーバ３０に対して要求する。ネットワーク監視情報収集サーバ３０は、ネットワークカメラ管理サーバ１２から当該要求を受信した場合に、ステップＳ３で変更したネットワークカメラ情報５０１を、インターネット３００、ブロードバンド・ルータ１０及びハブ１５を介してネットワークカメラ管理サーバ１２に送信する。
【００５３】
これにより、ネットワークカメラ管理サーバ１２は、ステップＳ３で変更したネットワークカメラ情報５０１、つまりネットワーク監視情報収集サーバ３０に記憶されたネットワークカメラ情報５０１をインターネット３００を介して受信（取得）することになる。なお、ここでのネットワークカメラ情報５０１には、ブロードバンド・ルータ１０のグローバルＩＰアドレス１０ＩＰＧと、ネットワークカメラ１ａ〜１ｃ及びネットワークカメラ管理サーバ１２のそれぞれに固有のグローバルポート番号ＰＴＧＣ，ＰＴＧＳが含まれている。ネットワークカメラ管理サーバ１２は、このようなネットワークカメラ情報５０１に、自身が記憶しているネットワークカメラ情報５０１を変更する（書き換える）。
【００５４】
ステップＳ５にて、ネットワークカメラ管理サーバ１２は、当該変更後のネットワークカメラ情報５０１に基づいて、ブロードバンド・ルータ１０のＮＡＰＴ情報テーブルを書き換える。つまり、ネットワークカメラ管理サーバ１２は、当該ネットワークカメラ情報５０１のローカルＩＰアドレスＩＰＬＣ，ＩＰＬＳ、ローカルポート番号ＰＴＬＣ，ＰＴＬＳ、グローバルＩＰアドレスＩＰＧＳ，ＩＰＧＳ、及び、グローバルポート番号ＰＴＧＣ，ＰＴＧＳに、ブロードバンド・ルータ１０のＮＡＰＴ情報テーブルの対応部分を書き換える。なお、ブロードバンド・ルータ１０のＮＰＡＴ情報テーブルの書き換えは、ＵＰｎＰを利用することもできる。
【００５５】
図５は、本実施の形態に係る監視システムが、第２ローカルネットワーク２００側のインターネット接続の設定を行う動作を示すフローチャートである。以下、この図５を用いて、当該監視システムの当該動作について説明する。
【００５６】
ステップＳ１１にて、画像表示装置２１及び画像記録装置２２は、ネットワーク接続時に、ローカルＩＰアドレス等を自身に設定し、ネットワーク表示情報５１０及びネットワーク記録情報５２０をそれぞれ生成する。
【００５７】
具体的には、まず、画像表示装置２１及び画像記録装置２２のそれぞれは、ネットワーク接続時に、ＤＨＣＰサーバ機能を有するブロードバンド・ルータ２０から、ローカルＩＰアドレス及びローカルポート番号を取得し、それらを自身に設定する。以下、ステップＳ１１のこれより先の動作については、画像表示装置２１及び画像記録装置２２のそれぞれについて別々に説明する。
【００５８】
画像表示装置２１は、ＩＰアドレス等を設定した（割り当てた）後、ネットワーク表示情報５１０を生成する。なお、ネットワーク表示情報５１０は、上述したように、第２ローカルネットワーク２００外部の機器が画像表示装置２１にインターネット接続するためのネットワーク情報である。
【００５９】
図６には、当該ネットワーク表示情報５１０の一例が示されている。この図６に示されるネットワーク表示情報５１０は、画像表示装置２１の、装置タイプＤＴ、ローカルＩＰアドレスＩＰＬＤ、ローカルポート番号ＰＴＬＤ、グローバルＩＰアドレスＩＰＧＤ及びグローバルポート番号ＰＴＧＤから構成されている。なお、ここでのローカルＩＰアドレスは、第２ローカルネットワーク２００上の画像表示装置２１のＩＰアドレスであり、ローカルポート番号は、第２ローカルネットワーク２００上の画像表示装置２１のポート番号である。
【００６０】
画像表示装置２１は、ネットワーク表示情報５１０の生成として、ネットワーク表示情報５１０のローカルＩＰアドレスＩＰＬＤ及びローカルポート番号ＰＴＬＤに、自身が設定したローカルＩＰアドレス及びローカルポート番号を格納する。また、画像表示装置２１は、ネットワーク表示情報５１０の装置タイプＤＴに、装置タイプが画像表示装置であることを示すＤｉｓｐｌａｙ等の文字列を格納する。なお、画像表示装置２１は、ネットワークカメラ情報５０１及びネットワーク表示情報５１０を記憶する記憶領域を備えており、ここで生成したネットワーク表示情報５１０を当該記憶領域に記憶する。
【００６１】
次に画像記録装置２２の動作について説明する。画像記録装置２２は、ＩＰアドレス等を設定した（割り当てた）後、ネットワーク記録情報５２０を生成する。なお、ネットワーク記録情報５２０は、上述したように、第２ローカルネットワーク２００外部の機器が画像記録装置２２にインターネット接続するためのネットワーク情報である。
【００６２】
図７には、当該ネットワーク記録情報５２０の一例が示されている。この図７に示されるネットワーク記録情報５２０は、画像記録装置２２の、装置タイプＤＴ、ローカルＩＰアドレスＩＰＬＲ、ローカルポート番号ＰＴＬＲ、グローバルＩＰアドレスＩＰＧＲ及びグローバルポート番号ＰＴＧＲから構成されている。なお、ここでのローカルＩＰアドレスは、第２ローカルネットワーク２００上の画像記録装置２２のＩＰアドレスであり、ローカルポート番号は、第２ローカルネットワーク２００上の画像記録装置２２のポート番号である。
【００６３】
画像記録装置２２は、ネットワーク記録情報５２０の生成として、ネットワーク記録情報５２０のローカルＩＰアドレスＩＰＬＲ及びローカルポート番号ＰＴＬＲに、自身が設定したローカルＩＰアドレス及びローカルポート番号を格納する。また、画像記録装置２２は、ネットワーク記録情報５２０の装置タイプＤＴに、装置タイプが画像記録装置であることを示すＲｅｃｏｒｄ等の文字列を格納する。なお、画像記録装置２２は、ネットワークカメラ情報５０１及びネットワーク記録情報５２０を記憶する記憶領域を備えており、ここで生成したネットワーク記録情報５２０を当該記憶領域に記憶する。
【００６４】
ステップＳ１２にて、画像表示装置２１及び画像記録装置２２は、ネットワーク監視情報収集サーバ３０とインターネット接続を行い、ステップＳ１１で生成したネットワーク情報５１０，５２０を、ブロードバンド・ルータ２０等を介してネットワーク監視情報収集サーバ３０へ送信する。
【００６５】
なお、上述したように、画像表示装置２１及び画像記録装置２２は、ネットワーク監視情報収集サーバ３０のグローバルＩＰアドレスを記憶しており、ネットワーク監視情報収集サーバ３０とインターネット接続可能となっている。本実施の形態では、同ステップＳ１２にて、画像表示装置２１及び画像記録装置２２は、ネットワーク監視情報収集サーバ３０とインターネット接続し、上述のネットワーク情報５１０，５２０を、ハブ２５、ブロードバンド・ルータ１０及びインターネット３００を介してネットワーク監視情報収集サーバ３０へ送信する。
【００６６】
ステップＳ１３にて、ネットワーク監視情報収集サーバ３０は、画像表示装置２１及び画像記録装置２２で生成されたネットワーク情報５１０，５２０を、インターネット３００を介して受信（取得）し、自身の記憶領域に記憶する。
【００６７】
なお、ネットワーク監視情報収集サーバ３０は、当該記憶領域だけでなく、フラグＦＤ及びフラグＦＲも備えている。フラグＦＤは、画像表示装置２１からネットワーク表示情報５１０を受信する前には「０」に設定されており、フラグＦＲは、画像記録装置２２からネットワーク記録情報５２０を受信する前には「０」に設定されている。ネットワーク監視情報収集サーバ３０は、画像表示装置２１からネットワーク表示情報５１０を受信し、当該ネットワーク表示情報５１０を記憶領域に記憶したときに、フラグＦＤを「１」に変更する。同様にネットワーク監視情報収集サーバ３０は、画像記録装置２２からネットワーク記録情報５２０を受信し、当該ネットワーク記録情報５２０を記憶領域に記憶したときに、フラグＦＲを「１」に変更する。
【００６８】
また、ネットワーク監視情報収集サーバ３０は、上述のグローバルＩＰアドレス１０ＩＰＧと同様、送信元のブロードバンド・ルータ２０のグローバルＩＰアドレス２０ＩＰＧを取得し、記憶しているものとする。
【００６９】
さて、このステップＳ１３においては、まず、ネットワーク監視情報収集サーバ３０は、画像表示装置２１からのネットワーク表示情報５１０を自身に記憶すると、フラグＦＤを「１」に変更する。そして、ネットワーク監視情報収集サーバ３０は、当該ネットワーク表示情報５１０に含まれる、画像表示装置２１のグローバルＩＰアドレスＩＰＧＤを、送信元のブロードバンド・ルータ２０のグローバルＩＰアドレス２０ＩＰＧに変更する。
【００７０】
同様に、ネットワーク監視情報収集サーバ３０は、画像記録装置２２からのネットワーク記録情報５２０を自身に記憶すると、フラグＦＲを「１」に変更する。そして、ネットワーク監視情報収集サーバ３０は、当該ネットワーク記録情報５２０に含まれる、画像記録装置２２のグローバルＩＰアドレスＩＰＧＲを、送信元のブロードバンド・ルータ２０のグローバルＩＰアドレス２０ＩＰＧに変更する。
【００７１】
それから、ネットワーク監視情報収集サーバ３０は、自身に記憶したネットワーク情報５１０，５２０に含まれる、画像表示装置２１及び画像記録装置２２のそれぞれのグローバルポート番号ＰＴＧＤ，ＰＴＧＲを、互いに重複しない固有の番号に変更する。
【００７２】
それから、同ステップＳ１３にて、ネットワーク監視情報収集サーバ３０は、変更後のネットワーク情報５１０，５２０を自身の記憶領域に記憶する。なお、ネットワーク監視情報収集サーバ３０は、グローバルＩＰアドレスＩＰＧＤ及びグローバルポート番号ＰＴＧＤの変更が完了したときにフラグＦＤを「１」から「２」に変更する。同様に、ネットワーク監視情報収集サーバ３０は、グローバルＩＰアドレスＩＰＧＲ及びグローバルポート番号ＰＴＧＲの変更が完了したときにフラグＦＲを「１」から「２」に変更する。
【００７３】
ステップＳ１４にて、画像表示装置２１は、ネットワーク監視情報収集サーバ３０からネットワークカメラ情報５０１及びネットワーク表示情報５１０を受信し、それらを自身に記憶する。同様に、画像記録装置２２は、ネットワーク監視情報収集サーバ３０からネットワークカメラ情報５０１及びネットワーク記録情報５２０を受信し、それらを自身に記憶する。
【００７４】
なお、ステップＳ１４及びＳ１５において、画像表示装置２１の動作と、画像記録装置２２の動作とは、互いにほぼ同じであるため、以下、ステップＳ１４及びＳ１５については、画像表示装置２１の動作についてのみ説明する。
【００７５】
このステップＳ１４について具体的に説明すると、画像表示装置２１は、ネットワーク監視情報収集サーバ３０へネットワーク表示情報５１０を送信した後（ステップＳ１２の後）、ネットワーク監視情報収集サーバ３０に問合せを行う。画像表示装置２１は、フラグＦＤが「２」に変更されるまで、この問合せを繰り返し行う。画像表示装置２１は、フラグＦＤが「２」に変更（設定）されたときに、ネットワーク監視情報収集サーバ３０から自身へのネットワークカメラ情報５０１及びネットワーク表示情報５１０の送信を、ネットワーク監視情報収集サーバ３０に対して要求する。ネットワーク監視情報収集サーバ３０は、画像表示装置２１から当該要求を受信した場合に、ステップＳ３で変更したネットワークカメラ情報５０１及びステップＳ１３で変更したネットワーク表示情報５１０を、インターネット３００、ブロードバンド・ルータ２０及びハブ２５を介して画像表示装置２１に送信する。
【００７６】
これにより、画像表示装置２１は、ステップＳ３で変更したネットワークカメラ情報５０１及びステップＳ１３で変更したネットワーク表示情報５１０、つまりネットワーク監視情報収集サーバ３０に記憶されたネットワークカメラ情報５０１及びネットワーク表示情報５１０をインターネットを介して受信（取得）することになる。それから、画像表示装置２１は、自身が記憶しているネットワークカメラ情報５０１及びネットワーク表示情報５１０を、ネットワーク監視情報収集サーバ３０から受信（取得）したネットワークカメラ情報５０１及びネットワーク表示情報５１０に変更する（書き換える）。
【００７７】
ステップＳ１５にて、画像表示装置２１は、当該変更後のネットワークカメラ情報５０１に基づいて、自身がネットワークカメラ１ａ〜１ｃとインターネット接続するための設定を行う。
【００７８】
なお、ここでいう変更後のネットワークカメラ情報５０１は、ステップＳ１４にて画像表示装置２１がネットワーク監視情報収集サーバ３０から受信したネットワークカメラ情報５０１である。したがって、ステップＳ１５の上述の動作を換言すれば、画像表示装置２１は、ネットワーク監視情報収集サーバ３０からインターネット３００を介して受信（取得）したネットワークカメラ情報５０１に基づいて、自身がネットワークカメラ１ａ〜１ｃとインターネット接続するための設定を行う。
【００７９】
具体的には、画像表示装置２１は、ネットワーク監視情報収集サーバ３０から受信したネットワークカメラ情報５０１に含まれるグローバルＩＰアドレスＩＰＧＣ及びグローバルポート番号ＰＴＧＣを取得し、それらにより指定されるネットワークカメラ１ａ〜１ｃとインターネット接続するための設定を行う。
【００８０】
より具体的には、画像表示装置２１は、当該ネットワークカメラ情報５０１のグローバルＩＰアドレスＩＰＧＣにより指定されるブロードバンド・ルータ１０を、インターネット３００上から特定する。そして、画像表示装置２１は、当該ブロードバンド・ルータ１０に対して、それが有するＮＡＰＴ情報テーブルから、当該ネットワークカメラ情報５０１のグローバルポート番号ＰＴＧＣに対応するローカルＩＰアドレスＩＰＬＣ及びローカルポート番号ＰＴＬＣを取得させる。そして、画像表示装置２１は、当該ブロードバンド・ルータ１０に対して、当該ローカルＩＰアドレスＩＰＬＣ及び当該ローカルポート番号ＰＴＬＣにより指定されるネットワークカメラ１ａ〜１ｃと、画像表示装置２１とをインターネット接続させる。
【００８１】
以上のように、本実施の形態では、画像表示装置２１は、ネットワーク監視情報収集サーバ３０に記憶されたネットワークカメラ情報５０１を、当該サーバからインターネット３００を介して受信（取得）し、当該ネットワークカメラ情報５０１に基づいて、自身がネットワークカメラ１ａ〜１ｄとインターネット接続するための設定を行う。これにより、画像表示装置２１は、指定されたネットワークカメラ１ａ〜１ｃから映像を取得し、当該映像を表示することができる。
【００８２】
画像記録装置２２は、この画像表示装置２１と同様に、上述のステップＳ１４及びＳ１５を行う。したがって、本実施の形態では、画像記録装置２２は、ネットワーク監視情報収集サーバ３０に記憶されたネットワークカメラ情報５０１を、当該サーバからインターネット３００を介して受信（取得）し、当該ネットワークカメラ情報５０１に基づいて、自身がネットワークカメラ１ａ〜１ｃとインターネット接続するための設定を行う。これにより、画像記録装置２２は、指定されたネットワークカメラ１ａ〜１ｃから映像を取得し、当該映像を蓄積することができる。
【００８３】
以上のような本実施の形態に係る監視システムによれば、ネットワークカメラ情報５０１を記録可能なネットワーク監視情報収集サーバ３０が、第１ローカルネットワーク１００に属するネットワークカメラ管理サーバ１２と、第２ローカルネットワーク２００に属する画像表示装置２１及び画像記録装置２２とインターネット接続されている。したがって、画像表示装置２１及び画像記録装置２２は、自身と異なるローカルネットワークに属するネットワークカメラ管理サーバ１２からネットワークカメラ１のネットワークカメラ情報５０１を自動的に取得することができる。よって、画像表示装置２１及び画像記録装置２２は、自身と異なるローカルネットワークに属するネットワークカメラ１と自動的にネットワーク接続することができる。その結果、ユーザは、ＰＣ等を用いて当該設定を行わなくて済み、画像表示装置２１及び画像記録装置２２における設定作業が軽減される。
【００８４】
＜実施の形態２＞
図８は、本発明の実施の形態２に係る監視システムの構成を示すブロック図である。なお、以下、本実施の形態に係る監視システムにおいて、実施の形態１で説明した構成要素と類似するものについては同じ符号を付し、実施の形態１と異なる点を中心に説明する。
【００８５】
図８に示されるように、本実施の形態では、ネットワークカメラ１ｄを追加することが可能となっている点が実施の形態１と大きく異なっている。
【００８６】
また、本実施の形態では、ネットワークカメラ管理サーバ１２に、ネットワーク表示情報５１０及びネットワーク記録情報５２０を記憶する記憶領域がさらに設けられている点が実施の形態１と大きく異なっている。つまり、本実施の形態では、ネットワークカメラ管理サーバ１２は、ネットワーク表示情報５１０及びネットワーク記録情報５２０を記憶する記憶手段を備えている。
【００８７】
図９は、本実施の形態に係る監視システムが、第１ローカルネットワーク１００側のインターネット接続の設定を行う動作を示すフローチャートである。本実施の形態に係る監視システムにおいては、画像表示装置２１及び画像記録装置２２とインターネット接続しているネットワークカメラ１に追加／変更があっても、それに伴う設定を自動的に行うことが可能となっている。以下、この図９を用いて、当該監視システムの当該動作について説明する。
【００８８】
なお、前提として、この図９に示される動作が行われる前に、上述の図２及び図５に示される動作はすでに行われているものとする。また、上述のステップＳ１５にて、画像表示装置２１は、ステップＳ１４で変更されたネットワーク表示情報５１０に基づいて、ブロードバンド・ルータ２０のＮＡＰＴ情報テーブルを書き換えたものとする。同様に、同ステップＳ１５にて、画像記録装置２２は、ステップＳ１４で変更されたネットワーク記録情報５２０に基づいて、ブロードバンド・ルータ２０のＮＡＰＴ情報テーブルを書き換えたものとする。なお、ここでのブロードバンド・ルータ２０のＮＡＰＴ情報テーブルの書き換えは、ＵＰｎＰを利用することもできる。
【００８９】
ステップＳ２１にて、ネットワークカメラ１ｄが追加的にハブ１５に接続されると、ネットワークカメラ管理サーバ１２は、ネットワーク監視情報収集サーバ３０からネットワーク情報５１０，５２０を受信し、それらを自身の記憶領域に記憶する。
【００９０】
具体的には、ネットワークカメラ管理サーバ１２は、ブロードバンド・ルータ１０のＮＰＡＴ情報テーブルを書き換えた後（ステップＳ５の後）、ネットワーク監視情報収集サーバ３０に問合せを行う。ネットワークカメラ管理サーバ１２は、フラグＦＤ，ＦＲがそれぞれ「２」に変更されるまで、この問合せを繰り返し行う。ネットワークカメラ管理サーバ１２は、フラグＦＤ，ＦＲが「２」に変更（設定）されたときに、ネットワーク監視情報収集サーバ３０から自身へのネットワーク情報５１０，５２０の送信を、ネットワーク監視情報収集サーバ３０に対して要求する。ネットワーク監視情報収集サーバ３０は、ネットワークカメラ管理サーバ１２から当該要求を受信した場合に、ステップＳ１３で変更したネットワーク情報５１０，５２０を、インターネット３００、ブロードバンド・ルータ１０及びハブ１５を介してネットワークカメラ管理サーバ１２に送信する。
【００９１】
これにより、ネットワークカメラ管理サーバ１２は、ステップＳ１３で変更したネットワーク情報５１０，５２０、つまりネットワーク監視情報収集サーバ３０に記憶されたネットワーク情報５１０，５２０をインターネット３００を介して受信（取得）することになる。それから、ネットワークカメラ管理サーバ１２は、自身が記憶しているネットワーク情報５１０，５２０を、ネットワーク監視情報収集サーバ３０から受信（取得）したネットワーク情報５１０，５２０に変更する（書き換える）。
【００９２】
ステップＳ２２にて、上述のネットワークカメラ１ｄは、ローカルＩＰアドレスを自身に設定し、ネットワークカメラ情報要素５００を配信する。
【００９３】
具体的には、ネットワークカメラ１ｄは、ハブ１５に接続されたときに、ＤＨＣＰサーバ機能を有するブロードバンド・ルータ１０から、ローカルＩＰアドレス及びローカルポート番号を取得し、それらを自身に設定する。ネットワークカメラ１ｄは、ＩＰアドレス等を設定した（割り当てた）後、同ステップＳ１にて、上述のネットワークカメラ情報要素５００を第１ローカルネットワーク１００上に配信する。
【００９４】
ステップＳ２３にて、ネットワークカメラ管理サーバ１２は、ネットワークカメラ情報要素５００などの情報をネットワークカメラ１ｄと交換することにより、ネットワークカメラ情報５０１を収集し、それをネットワーク監視情報収集サーバ３０へ送信する。
【００９５】
具体的には、まず、ネットワークカメラ管理サーバ１２は、ネットワークカメラ１ｄとの情報交換を行う。なお、ネットワークカメラ１ｄと、ネットワークカメラ管理サーバ１２との間の情報交換については、ＵＰｎＰを利用することもできる。
【００９６】
この情報交換を行うことにより、ネットワークカメラ管理サーバ１２は、ネットワークカメラ１ｄが配信したネットワークカメラ情報要素５００を受信する。そして、ネットワークカメラ管理サーバ１２は、受信したネットワークカメラ情報要素５００等を収集（記憶）することにより、ネットワークカメラ情報５０１を収集する。
【００９７】
図１０には、本実施の形態に係るネットワークカメラ情報５０１の一例が示されている。本実施の形態に係るネットワークカメラ情報５０１が、図４に示される実施の形態１に係るネットワークカメラ情報５０１と異なる点は、ネットワークカメラ１ｄが追加されている点である。
【００９８】
ネットワークカメラ管理サーバ１２は、ネットワークカメラ情報５０１の収集として、ネットワークカメラ１ｄから取得したネットワークカメラ情報要素５００に含まれるネットワークカメラメーカーＭ、ネットワークカメラ型式Ｔ、ローカルＩＰアドレスＩＰＬＣ及びローカルポート番号ＰＴＬＣを、ネットワークカメラ情報５０１の対応部分に格納・記憶する。また、ネットワークカメラ管理サーバ１２は、当該ローカルＩＰアドレスＩＰＬＣ及び当該ローカルポート番号ＰＴＬＣを、ネットワークカメラ情報５０１のグローバルＩＰアドレスＩＰＧＣ及びグローバルポート番号ＰＴＧＣにそれぞれ格納・記憶するとともに、カメラ１ｄ等の文字列を固有名ＮＣに格納・記憶する。
【００９９】
同ステップＳ２３にて、ネットワークカメラ管理サーバ１２は、ネットワーク監視情報収集サーバ３０とインターネット接続し、上述の収集したネットワークカメラ情報５０１を、ハブ１５、ブロードバンド・ルータ１０及びインターネット３００を介してネットワーク監視情報収集サーバ３０へ送信する。
【０１００】
ステップＳ２４にて、ネットワーク監視情報収集サーバ３０は、ネットワークカメラ管理サーバ１２で収集されたネットワークカメラ情報５０１を、インターネット３００を介して受信（取得）し、自身の記憶領域に記憶する。
【０１０１】
このステップＳ２４においては、まず、ネットワーク監視情報収集サーバ３０は、ネットワークカメラ管理サーバ１２からのネットワークカメラ情報５０１を自身に記憶すると、フラグＦＣを「１」に変更する。そして、ネットワーク監視情報収集サーバ３０は、当該ネットワークカメラ情報５０１に含まれる、ネットワークカメラ１ｄのグローバルＩＰアドレスＩＰＧＣを、送信元のグローバルＩＰアドレス１０ＩＰＧに変更する。そして、ネットワーク監視情報収集サーバ３０は、自身に記憶したネットワークカメラ情報５０１に含まれる、ネットワークカメラ１ｄのグローバルポート番号ＰＴＧＣを他の機器及び装置と重複しない固有の番号に変更する。
【０１０２】
それから、同ステップＳ２４にて、ネットワーク監視情報収集サーバ３０は、変更後のネットワークカメラ情報５０１を自身の記憶領域に記憶する。なお、ネットワーク監視情報収集サーバ３０は、グローバルＩＰアドレスＩＰＧＣ及びグローバルポート番号ＰＴＧＣの変更が完了したときにフラグＦＣを「１」から「２」に変更する。
【０１０３】
ステップＳ２５にて、ネットワークカメラ管理サーバ１２は、ネットワーク監視情報収集サーバ３０からネットワークカメラ情報５０１を受信し、それを自身に記憶する。
【０１０４】
具体的には、まず、ネットワークカメラ管理サーバ１２は、ネットワーク監視情報収集サーバ３０へネットワークカメラ情報５０１を送信した後（ステップＳ２３の後）、ネットワーク監視情報収集サーバ３０に問合せを行う。ネットワークカメラ管理サーバ１２は、フラグＦＣが「２」に変更されるまで、この問合わせを繰り返し行う。ネットワークカメラ管理サーバ１２は、フラグＦＣが「２」に変更（設定）されたときに、ネットワーク監視情報収集サーバ３０から自身へのネットワークカメラ情報５０１の送信を、ネットワーク監視情報収集サーバ３０に対して要求する。ネットワーク監視情報収集サーバ３０は、ネットワークカメラ管理サーバ１２から当該要求を受信した場合に、ステップＳ２４で変更したネットワークカメラ情報５０１を、インターネット３００、ブロードバンド・ルータ１０及びハブ１０を介してネットワークカメラ管理サーバ１２に送信する。
【０１０５】
これにより、ネットワークカメラ管理サーバ１２は、ステップＳ２４で変更したネットワークカメラ情報５０１、つまりネットワーク監視情報収集サーバ３０に記憶されたネットワークカメラ情報５０１をインターネット３００を介して受信（取得）することになる。なお、ここでのネットワークカメラ情報５０１には、ブロードバンド・ルータ１０のグローバルＩＰアドレス１０ＩＰＧと、ネットワークカメラ１ａ〜１ｄ及びネットワークカメラ管理サーバ１２のそれぞれに固有のグローバルポート番号ＰＴＧＣ，ＰＴＧＳが含まれている。ネットワークカメラ管理サーバ１２は、このようなネットワークカメラ情報５０１に、自身が記憶しているネットワークカメラ情報５０１を変更する（書き換える）。
【０１０６】
ステップＳ２６にて、ネットワークカメラ管理サーバ１２は、当該変更後のネットワークカメラ情報５０１に基づいて、ブロードバンド・ルータ１０のＮＡＰＴ情報テーブルを書き換える。つまり、ネットワークカメラ管理サーバ１２は、当該ネットワークカメラ情報５０１のローカルＩＰアドレスＩＰＬＣ，ＩＰＬＳ、ローカルポート番号ＰＴＬＣ，ＰＴＬＳ、グローバルＩＰアドレスＩＰＧＳ，ＩＰＧＳ、及び、グローバルポート番号ＰＴＧＣ，ＰＴＧＳに、ブロードバンド・ルータ１０のＮＡＰＴ情報テーブルの対応部分を書き換える。
【０１０７】
それから、ステップＳ２７にて、ネットワークカメラ管理サーバ１２は、自身に記憶されているネットワーク情報５１０，５２０に基づいて、画像表示装置２１及び画像記録装置２２とインターネット接続し、ネットワークカメラ１の追加／変更の旨を画像表示装置２１及び画像記録装置２２に通知する。
【０１０８】
なお、ステップＳ２７及びＳ２８において、画像表示装置２１に関する動作と、画像記録装置２２に関する動作とは、互いにほぼ同じであるため、以下、ステップＳ２７及びＳ２８については、画像表示装置２１に関する動作についてのみ説明する。
【０１０９】
このステップＳ２７について具体的に説明すると、ネットワークカメラ管理サーバ１２は、自身に記憶されているネットワーク表示情報５１０に含まれるグローバルＩＰアドレスＩＰＧＤ及びグローバルポート番号ＰＴＧＤを取得し、それらにより指定される画像表示装置２１とインターネット接続する。
【０１１０】
より具体的には、ネットワークカメラ管理サーバ１２は、当該ネットワーク表示情報５１０のグローバルＩＰアドレスＩＰＧＤにより指定されるブロードバンド・ルータ２０を、インターネット３００上から特定する。そして、ネットワークカメラ管理サーバ１２は、当該ブロードバンド・ルータ２０に対して、それが有するＮＡＰＴ情報テーブルから、当該ネットワーク表示情報５１０のグローバルポート番号ＰＴＧＤに対応するローカルＩＰアドレスＩＰＬＤ及びローカルポート番号ＰＴＬＤを取得させる。そして、ネットワークカメラ管理サーバ１２は、当該ブロードバンド・ルータ２０に対して、当該ローカルＩＰアドレスＩＰＬＤ及び当該ローカルポート番号ＰＴＬＤにより指定される画像表示装置２１と、自身（ネットワークカメラ管理サーバ１２）とをインターネット接続させる。
【０１１１】
ネットワークカメラ管理サーバ１２は、画像表示装置２１とインターネット接続した後、ネットワークカメラ１の追加／変更を、ブロードバンド・ルータ１０，２０及びインターネット３００等を介して画像表示装置２１に通知する。ここでは、ネットワークカメラ管理サーバ１２は、ネットワークカメラ１ｄの追加を、画像表示装置２１に通知する。
【０１１２】
以上のように、本実施の形態では、ステップＳ２７にて、ネットワークカメラ管理サーバ１２は、画像表示装置２１（画像記録装置２２）とインターネット接続しているネットワークカメラ１に追加／変更があった場合に、ネットワーク表示情報５１０（ネットワーク記録情報５２０）に基づいて画像表示装置２１（画像記録装置２２）とインターネット接続して、当該変更の旨を画像表示装置２１（画像記録装置２２）に通知する。
【０１１３】
次に、ステップＳ２８にて、画像表示装置２１は、ネットワークカメラ管理サーバ１２からの通知に従って、自身とインターネット接続しているネットワークカメラに対する追加／変更を行う。
【０１１４】
具体的には、画像表示装置２１は、ネットワークカメラ管理サーバ１２から上述の通知を受けた場合に、ネットワーク監視情報収集サーバ３０へ問合せを行う。画像表示装置２１は、フラグＦＣが「２」に設定されるまで、この問合せを繰り返し行う。画像表示装置２１は、フラグＦＣが「２」に変更（設定）されたときに、ネットワーク監視情報収集サーバ３０から自身へのネットワークカメラ情報５０１の送信を、ネットワーク監視情報収集サーバ３０に対して要求する。ネットワーク監視情報収集サーバ３０は、画像表示装置２１から当該要求を受信した場合に、ステップＳ２４で変更したネットワークカメラ情報５０１を、インターネット３００、ブロードバンド・ルータ２０及びハブ２５を介して画像表示装置２１に送信する。
【０１１５】
その後、画像表示装置２１は、ネットワーク監視情報収集サーバ３０に記憶されたネットワークカメラ情報５０１をインターネット３００を介して受信（取得）し、それを自身に記憶する。ここでは、画像表示装置２１は、自身が記憶しているネットワーク表示情報５１０を、ネットワーク監視情報収集サーバ３０から受信（取得）したネットワーク表示情報５１０に変更する。その後、画像表示装置２１は、ステップＳ１５と同様の動作を行い、当該変更後のネットワークカメラ情報５０１に基づいて、自身がネットワークカメラ１ａ〜１ｄとインターネット接続するための設定を行う。これにより、画像表示装置２１は、ネットワークカメラ１と追加的に接続する。
【０１１６】
以上のように、本実施の形態では、ステップＳ２８にて、画像表示装置２１（画像記録装置２２）は、ネットワークカメラ管理サーバ１２からの通知に従って、自身とインターネット接続しているネットワークカメラ１に対する追加／変更を行う。
【０１１７】
以上のような本実施の形態に係る監視システムによれば、ネットワークカメラ管理サーバ１２が、画像表示装置２１及び画像記録装置２２のネットワーク情報５１０，５２０を記憶する。したがって、ネットワークカメラ１の追加／変更があったときに、それに伴う画像表示装置２１及び画像記録装置２２の設定が自動的に行われる。よって、ユーザは、ＰＣ等を用いて当該設定を行わなくて済み、ネットワークカメラ１の変更に伴う設定作業が軽減される。また、画像表示装置２１及び画像記録装置２２は、ネットワークカメラ情報５０１の更新を行うことから、ネットワークカメラ１ｄの映像を取得することができ、当該映像の表示及び蓄積をそれぞれ行うことができる。
【０１１８】
＜実施の形態３＞
図１１は、本発明の実施の形態３に係る監視システムの構成を示すブロック図である。なお、以下、本実施の形態に係る監視システムにおいて、実施の形態１で説明した構成要素と類似するものについては同じ符号を付し、実施の形態１と異なる点を中心に説明する。
【０１１９】
図１１に示されるように、本実施の形態では、第１及び第２ローカルネットワーク１００，２００が複数（ここではＮ個）対設けられている点が実施の形態１と大きく異なる。以下、ある第１ローカルネットワーク１００n（ｎ＝１，２，…，Ｎ）に属するネットワークカメラ１及びネットワークカメラ管理サーバ１２を、ネットワークカメラ１n及びネットワークカメラ管理サーバ１２nというように記す。
【０１２０】
本実施の形態では、ネットワークカメラ管理サーバ１２nは、それ以外のネットワークカメラ管理サーバ１２から識別可能な固有情報ＩＤnを備えている。そして、ネットワークカメラ管理サーバ１２nは、ネットワーク監視情報収集サーバ３０へネットワークカメラ情報５０１nを送信するときに当該固有情報ＩＤnを付加して送信する。なお、画像表示装置２１n及び画像記録装置２２nについても同様である。
【０１２１】
ネットワーク監視情報収集サーバ３０は、図１２に示されるように、複数の第１ローカルネットワーク１００1〜１００Nに対応する複数のネットワークカメラ情報５０１1〜５０１Nを記憶するネットワークカメラ情報記憶領域５０２（記憶手段）を備えている。
【０１２２】
また、ネットワーク監視情報収集サーバ３０は、ネットワークカメラ管理サーバ１２nからネットワークカメラ情報５０１n及び固有情報ＩＤnを受信したときに、当該固有情報ＩＤnに対応する記憶領域を、ネットワークカメラ情報記憶領域５０２から特定する。そして、ネットワーク監視情報収集サーバ３０は、ネットワークカメラ管理サーバ１２nから受信した当該ネットワークカメラ情報５０１nを、特定した記憶領域に記憶する。
【０１２３】
画像表示装置２１n、画像記録装置２２n及びネットワークカメラ管理サーバ１２nは、ネットワーク監視情報収集サーバ３０から自身へのネットワークカメラ情報５０１nの送信を、ネットワーク監視情報収集サーバ３０に要求するときに、固有情報ＩＤnを付加して要求する。
【０１２４】
ネットワーク監視情報収集サーバ３０は、画像表示装置２１nからネットワークカメラ情報５０１nの送信要求を受けた場合に、それに付加された固有情報ＩＤnを取得し、当該固有情報ＩＤnに対応するネットワークカメラ情報５０１nをネットワークカメラ情報記憶領域５０２から読み出す。
【０１２５】
そして、ネットワーク監視情報収集サーバ３０は、読み出したネットワークカメラ情報５０１nを、当該固有情報ＩＤnに対応する画像表示装置２１n、つまりネットワークカメラ情報５０１nを要求した画像表示装置２１nに送信する。なお、ここでは、画像表示装置２１nにネットワークカメラ情報５０１nを送信する場合について説明したが、画像記録装置２２n、ネットワークカメラ管理サーバ１２nにネットワークカメラ情報５０１nを送信する場合も同様である。
【０１２６】
このように、本実施の形態では、ネットワーク監視情報収集サーバ３０は、複数のネットワークカメラ情報５０１1〜５０１Nを記憶するネットワークカメラ情報記憶領域５０２を備え、固有情報ＩＤnを指定することで所望のネットワークカメラ情報５０１nの記憶及び読出しを行う。つまり、ネットワーク監視情報収集サーバ３０は、ネットワークカメラ情報５０１nを上述の複数対の各々ごとに管理する。したがって、第１ローカルネットワーク１００nごとに専用のネットワーク監視情報収集サーバ３０を備える必要がなくなる。よって、ネットワーク監視情報収集サーバ３０の運用及び管理コストを削減することができる。
【０１２７】
なお、以上の実施の形態１〜３においては、ネットワークカメラ１ａ〜１ｃあるいは１ａ〜１ｄを備える例を説明したが、ネットワークカメラ１の数はこれらに限定されるものではない。また、画像表示装置２１及び画像記録装置２２を分けて記載しているが、１台のコンピュータ等の装置に統合されていてもかまわない。同様に、ネットワークカメラ管理サーバ１２及び画像記録装置２２が、１台のコンピュータ等の装置に統合されていてもかまわない。
【符号の説明】
【０１２８】
１，１ａ〜１ｄ  ネットワークカメラ、１２  ネットワークカメラ管理サーバ、２１  画像表示装置、２２  画像記録装置、３０  ネットワーク監視情報収集サーバ、１００  第１ローカルネットワーク、２００  第２ローカルネットワーク、３００  インターネット、５０１  ネットワークカメラ情報、５１０  ネットワーク表示情報、５２０  ネットワーク記録情報。
【図１】
2012209810.tif 000003
【図２】
2012209810.tif 000004
【図３】
2012209810.tif 000005
【図４】
2012209810.tif 000006
【図５】
2012209810.tif 000007
【図６】
2012209810.tif 000008
【図７】
2012209810.tif 000009
【図８】
2012209810.tif 000010
【図９】
2012209810.tif 000011
【図１０】
2012209810.tif 000012
【図１１】
2012209810.tif 000013
【図１２】
2012209810.tif 000014